(57)【要約】【課題】作業性良くパネルの固定が可能となる「パネル固定構造」を提供することである。【解決手段】筐体１０の周板に形成された複数の保持部によって天面を覆うように配置されたパネル２０を保持するようにしたパネル固定構造であって、各保持部は、周板１１の面内に形成され、第１パネル受け部１１２ａと、押え部１１２ｂと、第２係止突起部１２０とを有する片持ち切片部１１０と、周板１１の面内に形成され、片持ち切片部１１０と対向するように配置された第１係止突起部１２０とを有し、第１パネル受け部１１２ａにて固定部２０ａが受けられたパネル２０を筐体１０の内方に向けて押すことにより、片持ち切片部１１０がその片持ち支点を中心Ｐｃ１にして回動し、押え部１１２ｂがパネル２０の固定部２０ａを押さえ込み、第１係止突起部１２０に第２係止突起部１１２ｃが係止されて片持ち切片部１１０の傾き状態が維持されるように構成される。【選択図】図３
2008116618.tif 000002
【特許請求の範囲】
【請求項１】
周板にて囲われて天面が開放する筐体の前記周板の天面側縁部に形成された複数の保持部によって前記天面を覆うように配置されたパネルを保持するようにしたパネル固定構造であって、
前記複数の保持部のそれぞれは、
前記周板の面内に形成された片持ち切片部を有し、
該片持ち切片部は、
前記パネルの縁線から張り出すように形成された固定部を受ける第１パネル受け部と、
前記第１パネル受け部より片持ち支点に近い位置にあって、前記パネルの固定部の端部に係止する押え部とを有し、
前記複数の保持部のそれぞれにおける前記片持ち切片部の第１パネル受け部にて前記固定部が受けられた前記パネルを前記筐体の内方に向けて押すことにより、前記片持ち切片部がその片持ち支点を中心にして回動し、前記押え部が前記第１パネル受け部にて受けられた前記パネルの固定部を押さえ込むようにしたことを特徴とするパネル固定構造。
【請求項２】
前記複数の保持部のそれぞれは、
更に、前記片持ち切片部の形成される周板の面内に形成され、前記片持ち切片部と対向するように配置された第１係止突起部を有し、
前記片持ち切片部は、更に、
その先端部に形成された第２係止突起部を有し、
前記片持ち切片部が前記片持ち支点を中心にして回動して、前記押え部が前記パネルの固定部を押さえ込んだ際に、前記第１係止突起部に前記第２係止突起部が係止されて前記片持ち切片部の片持ち支点を中心とした前記回動による傾き状態が維持されるようにした請求項１記載のパネル固定構造。
【請求項３】
前記筐体は、４辺の周板にて矩形状に囲われており、
前記周板における所定の対向する２辺のそれぞれの両端部に前記保持部が形成されたことを特徴とする請求項１または２記載のパネル固定構造。
【請求項４】
前記筐体は、４辺の周板の矩形状に囲われており、
前記周板における所定の対向する２辺の対向する一端部のそれぞれに前記保持部が形成され、
前記保持部の形成された周板の各辺の他端部に、前記保持部に向けて開口し、前記パネルの縁部をその両面を挟むように係止する係止凹部が形成されていることを特徴とする請求項１または２記載のパネル固定構造。
【請求項５】
前記複数の保持部のそれぞれは、更に、
前記周板の面内に形成され、その先端部が前記片持ち切片部の先端部に対向するよう配置された片持ち腕部を有し、
前記片持ち腕部は、
その先端部に形成された前記パネルの固定部を受ける第２パネル受け部を有することを特徴とする請求項１乃至４のいずれかに記載のパネル固定構造。
【請求項６】
請求項１乃至５のいずれかに記載のパネル固定構造によって筐体の天面に保持されたパネルと、
前記パネルに対向して表示画面が配置されるように前記筐体内に収納された液晶表示パネルユニットとを有することを特徴とする表示装置。
【発明の詳細な説明】
【技術分野】
【０００１】
本発明は、液晶表示パネルの表示画面の前面に配置されるべき反射防止膜や回折防止膜のコートされたパネル等のパネルを固定するためのパネル固定構造、及びそのパネル固定構造にて固定されるパネルを備えた表示装置に関する。
【背景技術】
【０００２】
従来、液晶表示モジュールの前面に、平板のパネルを設置する構造が提案されている。そのパネルとして、例えば、液晶表示モジュールの表示画面の保護を目的としたアクリル製の薄板や、特許文献１に示すようなタッチパネルが設置され得る。この表示装置（特許文献１参照）では、タッチパネルが枠部材を介して液晶表示モジュールの表示画面の前面に配置され、前記枠部材の所定部位に設けられた両面テープ等の接着部によってタッチパネル及び液晶表示モジュールがそれぞれ枠部材に接着固定されている。これにより、タッチパネルが液晶表示モジュールの表示画面に固定される。
【特許文献１】特開２００３−２３３０５９号公報
【発明の開示】
【発明が解決しようとする課題】
【０００３】
しかしながら、前述したようなタッチパネルの液晶表示モジュールに対する固定構造では、枠部材の枠辺が細いことから、両面テープ等の接着部も細幅のものとなり、液晶表示モジュールやタッチパネルの縁に沿ってその細幅の接着部を正確に位置合わせして貼付けることが難く、その作業性が悪い。
【０００４】
本発明は、このような事情に鑑みてなされたもので、作業性良くパネルの固定が可能となるパネル固定構造を提供するものである。また、本発明は、そのようなパネル固定構造によりパネルの固定された表示装置を提供するものである。
【課題を解決するための手段】
【０００５】
本発明に係るパネル固定構造は、周板に囲われて天面が開放する筐体の前記周板の天面側縁部に形成された複数の保持部によって前記天面を覆うように配置されたパネルを保持するようにしたパネル固定構造であって、前記複数の保持部のそれぞれは、前記周板の面内に形成された片持ち切片部を有し、前記片持ち切片部は、前記パネルの縁線から張り出すように形成された固定部を受ける第１パネル受け部と、前記第１パネル受け部より片持ち支点に近い位置にあって、前記パネルの固定部の端部に係止する押え部とを有し、前記複数の保持部のそれぞれにおける前記片持ち切片部の第１パネル受け部にて前記固定部が受けられた前記パネルを前記筐体の内方に向けて押すことにより、前記片持ち切片部がその片持ち支点を中心にして回動し、前記押え部が前記第１パネル受け部にて受けられた前記パネルの固定部を押さえ込むようにした構成となる。
【０００６】
このような構成により、複数の保持部のそれぞれにおける片持ち切片部の第１パネル受け部にパネルの固定部が載せられた状態で当該パネルが押されると、回動して傾き状態となる片持ち切片部の押え部が前記第１パネル受け部によって受けられた前記パネルの固定部を押さえ込み、前記押え部と前記第１パネル受け部とによって前記パネルの固定部が挟みこまれた状態となる。これにより、パネルが筐体の天面を覆うように固定され得る。
【０００７】
また、本発明に係るパネル固定構造において、前記複数の保持部のそれぞれは、更に、前記片持ち切片部の形成される周板の面内に形成され、前記片持ち切片部と対向するように配置された第１係止突起部を有し、前記片持ち切片部は、更に、その先端部に形成された第２係止突起部を有し、前記片持ち切片部が前記片持ち支点を中心にして回動して、前記押え部が前記パネルの固定部を押さえ込んだ際に、前記第１係止突起部に前記第２係止突起部が係止されて前記片持ち切片部の片持ち支点を中心とした前記回動による傾き状態が維持されるように構成することができる。
【０００８】
このような構成により、前述したように回動して傾き状態となる片持ち切片部の当該傾き状態が第２係止突起部の第１係止突起部への係止によって維持されることから、前記押え部と前記第１パネル受け部とによって前記パネルの固定部が挟み込まれた状態が維持されて、前記パネルが筐体の天面を覆うように固定され得る。
【０００９】
また、本発明に係るパネル固定構造において、前記筐体は、４辺の周板にて矩形状に囲われており、前記周板における所定の対向する２辺のそれぞれの両端部に前記保持部が形成された構成とすることができる。
【００１０】
このような構成により、矩形形状のパネルの対向する２辺の端部が筐体の周板における所定の２辺それぞれの天面側縁部の両端部に形成された４つの保持部によって保持され、矩形形状となる筐体の天面に前記パネルを固定することができるようになる。
【００１１】
また、本発明に係るパネル固定構造において、前記筐体は、４辺の周板の矩形状に囲われており、前記周板における所定の対向する２辺の対向する一端部のそれぞれに前記保持部が形成され、前記保持部の形成された周板の各辺の他端部に、前記保持部に向けて開口し、前記パネルの縁部をその両面を挟むように係止する係止凹部が形成されている構成とすることができる。
【００１２】
このような構成により、パネルの端部が係止凹部に入れ込まれるとともに、周板の２辺における前記係止凹部の形成された端部と逆側の端部に形成された２つの保持部のそれぞれにおける片持ち切片部の第１パネル受け部に前記パネルの固定部が載せられた状態で、当該パネルが押されると、前記パネルの前記端部の両面が前記係止凹部にて係止されつつ、各保持部の片持ち切片部がその片持ち支点を中心に回動する。そして、回動して傾き状態となる片持ち切片部の押え部が前記第１パネル受け部によって受けられた前記パネルの固定部を押さえ込み、前記押え部と前記第１パネル受け部とによって前記パネルの固定部が挟み困れた状態になる。これにより、パネルが筐体の天面を覆うように固定され得る。
【００１３】
本発明に係るパネル固定構造において、前記複数の保持部のそれぞれは、更に、前記周板の面内に形成され、その先端部が前記片持ち切片部の先端部に対向するよう配置された片持ち腕部を有し、前記片持ち腕部は、その先端部に形成された前記パネルの固定部を受ける第２パネル受け部を有する構成とすることができる。
【００１４】
このような構成により、傾いた状態の片持ち切片部によって保持されたパネルの固定部を片持ち状態の片持ち腕部の第２パネル受け部が受けるようになるので、前記パネルの固定部による押さえによって撓む片持ち腕部から前記パネルの固定部に押し返す力が作用するようになり、パネルのガタツキを防止することができるようになる。
【００１５】
また、本発明に係る表示装置は、前述したいずれかのパネル固定構造によって筐体の天面に保持されたパネルと、前記パネルに対向して表示画面が配置されるように前記筐体内に収納された液晶表示パネルユニットとを有する構成となる。
【００１６】
このような構成により、液晶表示パネルユニットの表示画面の前面にパネルが固定配置された表示装置を容易に形成することができるようになる。
【発明の効果】
【００１７】
本発明に係るパネル固定構造によれば、複数の保持部それぞれにおける片持ち切片部の第１パネル受け部に固定部の載せられたパネルを筐体の内方に押さえつける作業によって当該パネルが筐体にその天面を覆うように固定されるようになるので、当該パネルを作業性良く筐体に固定することができるようになる。
【発明を実施するための最良の形態】
【００１８】
以下、本発明の実施の形態について、図面を用いて説明する。
【００１９】
本発明の第１の実施の形態に係る液晶表示装置は、図１及び図２に示すように構成される。図１は、本発明の実施の一形態に係る液晶表示装置の構造を示す分解斜視図であり、図２は、本発明の実施の一形態に係る液晶表示装置の外観を示す斜視図である。
【００２０】
図１において、シャーシ１０（筐体）は、４つの周板１１、１２、１３、１４にて矩形状に囲われて天面（Ａ方向）が開放するような構造となっている。なお、このシャーシ１０は、後述するように液晶表示パネルユニット３０を外装枠体４０に取り付けるための取付け部材として機能するものである。シャーシ１０（周板１１〜１４）は、例えば、０．８ｍｍ程度の厚さとなる亜鉛鋼板にて形成されている。矩形形状に配置されたそれら４つの周板１１、１２、１３、１４のうち対向する２辺となる周板１１、１３の天面側縁部の両端部に合計４つの保持部１００ａ、１００ｂ、１００ｃ、１００ｄが形成されている。各周板１１（１３）に形成される保持部１００ａ、１００ｂ（１００ｃ、１００ｄ）は向かい合うように配置されている。各保持部１００ａ〜１００ｄの詳細な構造にてついては後述する。シャーシ１０内には液晶表示パネルユニット３０（破線参照）がその表示画面を当該シャーシ１０の天面（Ａ方向）に向けて収納される。
【００２１】
パネル２０がシャーシ１０の天面を覆うように配置される。パネル２０は、例えば、１ｍｍ程度の厚さとなるアクリル、ポリカーボネート等の合成樹脂で形成され、その表面が反射防止膜（ＡＲ膜）及び回折防止膜（ＡＧ膜）にて被覆されている。パネル２０は、その長手方向に延びる縁線から張出すように２つの固定部２０ａ、２０ｂが所定間隔をあけて形成され、図１には明確に表れていないが、前記縁線に対向する縁線からも固定部２０ａ、２０ｂに対向するように張出す２つの固定部が形成されている。シャーシ１０の天面を覆うように配置されるパネル２０は、４つの保持部１００ａ〜１００ｄによってその４つの固定部２０ａ、２０ｂ、・・・において後述するように保持される。
【００２２】
液晶表示パネルユニット３０を収納し、天面を覆うように配置されたパネル２０を保持したシャーシ１０には、図２に示すように、パネル２０の表面が露出するように外装枠体４０が固定される。このような構造となる液晶表示装置では、液晶表示パネルユニット３０の表示画面に表示された映像が反射防止膜（ＡＲ膜）及び回折防止膜（ＡＧ膜）の被覆されたパネル２０を通してユーザに提示される。
【００２３】
前述したようにシャーシ１０の対向する２つの周板１１、１３に形成される各保持部１００ａ〜１００ｄは、図３に示すようになっている。なお、図３は、保持部１００ａについて示しているが、他の保持部１００ｂ〜１００ｄも同様の構造となっている。
【００２４】
図３において、保持部１００ａは、それぞれ周板１１の面内に形成された、片持ち切片部１１０と、第１係止突起部１２０と、片持ち腕部１３０とを有している。片持ち切片部１１０は、周板１１の面内に形成された第１隙間１１４によって片持ち構造となり、周板１４に隣接する周板１１の角部から逆側の周板１２（図１参照）に向けて延びる腕部１１１と腕部１１１に続いて形成される切片本体部１１２とから構成されている。周板１１の角部に位置する腕部１１１の根元が片持ち切片部１１０の片持ち支点Ｐｃ１となる。切片本体部１１２の先端部にはシャーシ１０の開放方向（Ａ方向）に向けて突出する第１パネル受け部１１２ａが形成されている。切片本体部１１２の第１パネル受け部１１２ａより片持ち支点Ｐｃ１に近い部位となる腕部１１１との境界部にはシャーシ１０の開放方向（Ａ方向）に第１パネル受け部１１２ａより長く延びる押え部１１２ｂが形成されている。また、切片本体部１１２の先端部には第１パネル受け部１１２ａに隣接してシャーシ１０の開放方向（Ａ方向）の斜め逆方向（Ｃ方向）に突出するように第２係止突起部１１２ｃが形成されている。
【００２５】
押え部１１２ｂには、パネル２０の固定部２０ａの端部が係合するための係合凹部１１３が第１パネル受け部１１２ａに向けて開放するように形成されている。切片本体部１１２の第１隙間１１４に臨む縁線１１２ｅは略円弧状に形成され、その第１隙間１１４を挟んで片持ち切片部１１０と逆側に形成された周板１１内の縁線１１２ｆも切片本体部１１２の縁線１１２ｅに対応するように略円弧状に形成されている。
【００２６】
第１係止突起部１２０は、片持ち切片部１１０における切片本体部１１２の略円弧状となる縁線１１２ｆの第２係止突起部１１２ｃの近傍部位に対向するように形成されている。片持ち腕部１３０は、周板１１の内面に形成された第２隙間１３３によってその根元が片持ち支点Ｐｃ２となる片持ち構造となっている。片持ち腕部１３０は、第１係止突起部１２０を挟んで片持ち切片部１１０と逆側に形成され、その先端部が片持ち切片部１１０の切片本体部１１２の先端部と対向している。片持ち腕部１３０の第２隙間１３３に臨む縁線と逆側の縁線と周板１１の天面側縁線との間にはパネル２０の板厚分の段差がある。片持ち腕部１３０の先端部にはシャーシ１０の開放方向（Ａ方向）に突出する第２パネル受け部１３１が形成され、その根元部には第３パネル受け部１３２が形成されている。
【００２７】
次に、図４及び図５を参照して、パネル２０のシャーシ１０への装着手順について説明する。
【００２８】
図４（ａ）に示すように、複数（４つ）の保持部１００ａ〜１００ｄにおける片持ち切片部１１０の押え部１１２ｂの端面Ｓ112bに固定部２０ａ（２０ｂ、・・・）の端部が当接するように位置合わせがなされ、固定部２０ａ（２０ｂ、・・・）の裏面が第１パネル受け部１１２ａに載せられる。この状態で、図４（ｂ）に示すように、パネル２０の表面がシャーシ１０の内方（矢印Ｂの方向）に均一に押え付けられると、片持ち切片部１１０がその片持ち支点Ｐｃ１を中心にして破線矢印Ｄの方向に撓んで回動し、固定部２０ａ（２０ｂ、・・・）の端部が押え部１１２ｂの係合凹部１１３に嵌りこみつつ押え部１１２ｂの先端部が第１パネル受け部１１２ａにて受けられた固定部２０ａ（２０ｂ、・・・）に乗り上げていく。そして、片持ち切片部１１０の切片本体部１１２の第２係止突起部１１２ｃが第１係止突起部１２０に引っ掛かり、固定部２０ａ（２０ｂ、・・・）の裏面が片持ち腕部１３０の第２パネル受け部１３１及び第３パネル受け部１３２に当接するようになる。
【００２９】
更に、パネル２０の表面を押圧すると、図５に示すように、片持ち切片部１１０がその片持ち支点Ｐｃ１を中心にして破線矢印Ｄの方向に更に撓んで回動し、押え部１１２ｂの先端部が第１パネル受け部１１２ａにて受けられたパネル２０の固定部２０ａ（２０ｂ、・・・）を確実に押さえ込む。そして、片持ち切片部１１０の切片本体部１１２の第２係止突起部１１２ｃが第１係止突起部１２０に確実に係止され、片持ち切片部１１０の片持ち支点Ｐｃ１を中心とした前記回動による傾き状態が維持される。このとき、片持ち腕部１３０の第２パネル受け部１３１がパネル２０の固定部２０ａ（２０ｂ、・・・）を介して押圧力を受けることにより、片持ち腕部１３０がその片持ち支点Ｐｃ２を中心にして破線矢印Ｅの方向に撓んで回動する。パネル２０の固定部２０ａ（２０ｂ、・・・）に対して撓んだ状態の片持ち腕部１３０から押し返す力が作用する。これにより、第１パネル受け部１１２ａによって受けられたパネル２０の固定部２０ａ（２０ｂ、・・・）が押え部１１２ｂによってより強固に押え付けられるようになり、パネル２０のガタツキが防止される。このようにして、液晶表示パネルユニット３０が収納されるシャーシ１０の天面を覆うようにパネル２０が固定される。
【００３０】
なお、第１隙間１１４を挟む切片本体部１１２の縁線１１２ｅと周板１１の縁線１１２ｆとが対応する略円弧状になっているので、片持ち切片部１１０がその片持ち支点Ｐｃ１を中心にして回動する際に、両縁線１１２ｅ、１１２ｆが円滑に摺接して、その回動を妨げることなく、片持ち切片部１１０が傾斜され過ぎることを有効に防止することができる。
【００３１】
第１の実施の形態に係る液晶表示装置では、複数（４つ）の保持部１００ａ〜１００ｄそれぞれにおける片持ち切片部１１０の切片本体部１１２に形成された第１パネル受け部１１２ａに載せられたパネル２０をシャーシ１０の内方に押え付ける作業によってパネル２０がシャーシ１０にその天面を覆うように確実に固定されるようになるので、パネル２０を作業性良くシャーシ１０に固定することができるようになる。
【００３２】
前述した第１の実施の形態では、シャーシ１０の対向する２つの周板１１、１３のそれぞれ２つずつの保持部１００ａ〜１００ｄが形成されたが、他の対向する周板１２、１４のそれぞれに２つずつの保持部を形成しても、また、各周板１１〜１４にそれぞれ１つずつの保持部を形成しても、更に、他の態様にて周板１１〜１４に複数の保持部を形成することが可能である。
【００３３】
次に第２の実施の形態に係る液晶表示装置について図６乃至図９を参照しつつ説明する。この第２の実施の形態に係る液晶表示装置では、図１に示すものと同様に４つの周板１１〜１４にて矩形状に囲われたシャーシ１０の対向する２つの周板１１、１３にそれぞれ１つずつ保持部が形成されている。なお、図６乃至図９は、周板１１側の状態を示しているが、その周板１１に対向する周板１３側も同様の状態となっている（以下、周板１１側について説明する）。
【００３４】
具体的には、図６に示すように、周板１１の一端部に前述したのと同様に、片持ち切片部１１０、第１係止突起部１２０及び片持ち腕部１３０を有する保持部１００ａが形成されている。この保持部１００ａは、片持ち腕部１３０のパネル受け部１３４が周板１１の逆側の端部近傍まで延びている点で前述した第１の実施の形態のものと異なる。また、周板１１の保持部１００ａの形成された端部と逆側の端部には、保持部１００ａに向けて開口した係止凹部１４０が形成されている。この係止凹部１４０は、前述した片持ち腕部１３０のパネル受け部１３４から続く周板１１の縁部に形成された凸部１４１と周板１２との接合端においてシャーシ１０の開放方向（Ａ方向）に延び、断面カギ型（断面Ｌ字状）となる係止突起部１４２とによって形成されている。
【００３５】
次に、長手方向に延びる両縁線のそれぞれから張り出すように形成された固定部２０ｂを有するパネル２０のシャーシ１０への装着手順について説明する。
【００３６】
まず、図６に示すように、パネル２０を傾斜させた状態で、その長手方向の一端部が係止凹部１４０に入れ込まれる。そして、図７に示すように、パネル２０の係止凹部１４０に入れ込まれた端部と逆側の端部が押されて（Ｂ方向に）、保持部１００ａにおける片持ち切片部１１０の押え部１１２ｂの端面１１２ｂに固定部２０ｂの端部が当接しつつその固定部２０ｂの裏面が第１パネル受け部１１２ａに載せられる。この状態で、パネル２０が更に押え付けられると、一端部が係止凹部１４０を形成する凸部１４１に支えられるパネル２０がその支持点を中心にして回動する。このパネル２０の回動に伴って、パネル２０の係止凹部１４０側の端部と逆側の端部によって片持ち切片部１１０の第１パネル受け部１１２ａが押され、それにより、片持ち切片部１１０が、図８に示すように、その片持ち支点Ｐｃ１を中心にして破線矢印Ｄの方向に撓んで回動し、固定部２０ｂの端部が押え部１１２ｂの係合凹部１１３に嵌り込みつつ押え部１１２ｂの先端部がパネル２０の固定部２０ｂに乗り上げていく。そして、片持ち切片部１１０の切片本体部１１２の第２係止突起部１１２ｃが第１係止突起１２０に引っ掛かり、固定部２０ｂの裏面が片持ち腕部１３０の第２パネル受け部１３１及びパネル受け部１３４に当接するようになる。
【００３７】
この状態で、パネル２０の係止凹部１４０に嵌り込む端部は、その裏面が凸部１４１にて支えられるとともに、シャーシ１０の開放方向（Ａ方向）の動き及び保持部１００ａの逆側に向けた方向への動きがカギ型状の係止突起部１４２によって規制される。
【００３８】
更に、パネル２０の係止凹部１４０に嵌り込む端部と逆側の端部が押されると、図９に示すように、片持ち切片部１１０がその片持ち支点Ｐｃ１を中心にして破線矢印ｄの方向に更に撓んで回動し、押え部１１２ｂの先端部が第１パネル受け部１１２ａにて受けられたパネル２０の固定部２０ｂを確実に押さえ込む。そして、片持ち切片部１１０の切片本体部１１２の第２係止突起部１１２ｃが第１係止突起部１２０に確実に係止され、片持ち切片部１１０の片持ち支点Ｐｃ１を中止とした前記回動による傾き状態が維持される。このとき、片持ち腕部１３０も第１の実施の形態の場合と同様に、片持ち支点Ｐｃ２を中心にして破線矢印Ｅの方向に撓んで回動し、その片持ち腕部１３０の撓みによる反作用によってパネル２０が第２パネル受け部１３１を介して押し返され、パネル２０のガタツキが防止される。このようにして、液晶表示パネルユニット３０が収納されるシャーシ１０の天面を覆うようにパネル２０が固定される。
【００３９】
第２の実施の形態に係る液晶表示装置では、係止凹部１４０に端部が入れ込まれ、２つの保持部１００ａ（１００ｄ）それぞれにおける片持ち切片部１１０の切片本体部１１２に形成された第１パネル受け部１１２ａに載せられたパネル２０をシャーシ１０の内方（Ｂ方向）に押さえつける作業によってそのパネル２０がシャーシ１０にその天面を覆うように確実に固定されるようになるので、パネル２０を作業性良くシャーシ１０に固定することができるようになる。
【００４０】
なお、前述した各実施の形態では、片持ち切片部１１０における切片本体部１１２に形成された第２係止突起部１１２ｃが第１係止突起部１２０に係止することで、片持ち切片部１１０の傾き状態が維持されるようになっていたが、回動によって傾いた状態が片持ち切片部１１０の塑性変形によって維持されるような金属材料にて周板１１〜１４が形成された場合には、相互に係止する第１係止突起部１２０及び第２係止突起１１２ｃを形成する必要はない。更に、片持ち切片１１０の傾斜状態を維持するめの構造は、例えば、切片本体部１１２の円弧状の縁部１１２ｅに形成された係止部とその縁部１１２ｅに対向する縁部１１２ｆに形成された係止部とが相互に係止されるような構造であってもよい。
【００４１】
前述した各実施の形態では、液晶表示パネルユニット３０の前面に反射防止膜（ＡＲ膜）及び回折防止膜（ＡＧ膜）の被覆されたパネル２０を固定するようにしたが、タッチパネル等の他のパネルを同様の構造にて固定することも可能である。
【産業上の利用可能性】
【００４２】
以上、説明したように、本発明に係るパネル固定構造は、作業性良くパネルの固定が可能となるという効果を有し、液晶表示パネルの表示画面の前面に配置されるべき反射防止膜や回折防止膜のコートされたパネル等のパネルを固定するためのパネル固定構造として有用である。
【図面の簡単な説明】
【００４３】
【図１】本発明の第１の実施の形態に係る液晶表示装置の構造を示す分解斜視図である。
【図２】本発明の第１の実施の形態に係る液晶表示装置の外観を示す斜視図である。
【図３】図１に示す構造の液晶表示装置におけるシャーシに形成された保持部の詳細構造を示す部分斜視図である。
【図４】パネルを装着するための手順を示す図である。
【図５】パネルがシャーシに形成された保持部に固定された状態を示す側面図である。
【図６】本発明の第２の実施の形態に係る液晶表示装置におけるシャーシに形成された保持部及び係止凹部の詳細構造を示す側面図である。
【図７】図６に示すシャーシにパネルを装着するための手順（その１）を示す側面図である。
【図８】図６に示すシャーシにパネルを装着するための手順（その２）を示す側面図である。
【図９】図６に示すシャーシにパネルが装着された状態を示す側面図である。
【符号の説明】
【００４４】
１０  シャーシ（筐体）
１１、１２、１３、１４  周板
２０  パネル
２０ａ、２０ｂ  固定部
３０  液晶表示パネルユニット
４０  外装枠体
１００ａ、１００ｂ、１００ｃ、１００ｄ  保持部
１１０  片持ち切片部
１１１  腕部
１１２  切片本体部
１１２ａ  第１パネル受け部
１１２ｂ  押え部
１１２ｃ  第２係止突起部
１１３  係合凹部
１１４  第１隙間
１２０  第１係止突起部
１３０  片持ち腕部
１３１  第２パネル受け部
１３２  第３パネル受け部
１３３  第２隙間
１３４  パネル受け部
１４０  係止凹部
１４１  凸部
１４２  係止突起部
【図１】
2008116618.tif 000003
【図２】
2008116618.tif 000004
【図３】
2008116618.tif 000005
【図４】
2008116618.tif 000006
【図５】
2008116618.tif 000007
【図６】
2008116618.tif 000008
【図７】
2008116618.tif 000009
【図８】
2008116618.tif 000010
【図９】
2008116618.tif 000011